(57)【要約】      （修正有）【課題】展示空間を閉止した状態において、展示床面部周縁の目地用隙間を小さくした展示ケースを提供する。【解決手段】周縁特定部分２２Ａが厚み方向に変形可能な展示床面部２２を上面に配してなる基台２と、展示床面部上に形成される展示空間１Ｓを周壁３１により囲うようにして基台上に配され周壁の下端部内面で展示床面部の周縁を目地用隙間２３を介して包囲するケース体３と、ケース体の下端に設けた保持枠３３の被支持部材３３１に昇降部材４１の上端を接続し、昇降部材によりケース体を昇降させて展示空間を開閉させる開閉機構４とを具備してなり、展示空間が閉塞される閉止姿勢Ａで被支持部材が展示床面部の周縁特定部分の下方に隠蔽されると共に、閉止姿勢から開放姿勢に移る途上において被支持部材が周縁特定部分を変形させつつ展示空間側に上昇し得るように構成したものであって、被支持部材の上面に周壁の下端を受ける受面を設ける。【選択図】図４
2010094457.tif 000002
【特許請求の範囲】
【請求項１】
周縁特定部分が厚み方向に変形可能な展示床面部を上面に配してなる基台と、
この基台の展示床面部上に形成される展示空間を周壁により囲うようにして該基台上に配されその周壁の下端部内面で前記展示床面部の周縁を目地用隙間を介して包囲するケース体と、
このケース体の下端に設けた保持枠の被支持部材に昇降部材の上端を接続してなりその昇降部材により前記ケース体を昇降させて前記展示空間を開閉させる開閉機構とを具備してなり、
前記展示空間が閉塞される閉止姿勢で前記被支持部材が前記展示床面部の周縁特定部分の下方に隠蔽されるとともに、この閉止姿勢から前記展示空間が外側方に開かれる開放姿勢に移る途上において前記被支持部材が前記周縁特定部分を変形させつつ前記展示空間側に上昇し得るように構成したものであって、
前記ケース体における被支持部材の上面に前記周壁の下端を受ける受面を設けていることを特徴とする展示ケース。
【請求項２】
前記展示床面部が平面視ほぼ多角形状をなすものであり、前記周縁特定部分がその多角形状のコーナー部であり、前記被支持部材を該コーナー部に設定している請求項１記載の展示ケース。
【請求項３】
前記保持枠が、前記被支持部材と、この支持部材の下面に添設されたフレームとを具備してなり、
当該フレームが立壁部を有しないものである請求項１又は２記載の展示ケース。
【請求項４】
前記昇降部材が、前記ケース体に設けた被支持部材を支持した状態で鉛直方向に昇降可能なロッド状の昇降桿であり、
当該昇降桿の鉛直方向に沿った昇降移動に伴って前記周縁特定部分を変形させるようにしている請求項１、２又は３記載の展示ケース。
【請求項５】
前記周壁が透明なガラス製のものであり、当該周壁下端部の少なくとも内面に設けられたマスキングと、このマスキングを保護するためにマスキングを覆うように設けられたマスキング保護材とを具備している請求項１、２、３又は４記載の展示ケース。
【請求項６】
前記マスキングが塗装シールであり、前記マスキング保護材がアクリル板である請求項５記載の展示ケース。
【発明の詳細な説明】
【技術分野】
【０００１】
本発明は、美術館や博物館等で使用される展示ケースに関するものである。
【背景技術】
【０００２】
従来より、上向面が展示床面としての役割を担う上板を有する基台と、展示床面上に設定した展示空間を包囲する位置に配置されるガラス製のケース体と、ケース体を基台に対して昇降させることによって展示空間を選択的に開閉し得る開閉機構とを備えた展示ケースが知られている。
【０００３】
例えば、特許文献１において開示された展示ケースは、図９に示すように、周縁特定部分ａが厚み方向に変形可能な展示床面部ｂを上面に配してなる基台ｃと、この基台ｃの展示床面部ｂ上に形成される展示空間ｄを周壁ｅにより囲うようにして該基台ｃ上に配されその周壁ｅの下端部内面で前記展示床面部ｂの周縁を目地用隙間ｆを介して包囲するケース体ｇと、このケース体ｇの下端に設けた保持枠ｈの被支持部材ｉに昇降部材ｊの上端を接続してなりその昇降部材ｊにより前記ケース体ｇを昇降させて前記展示空間ｄを開閉させる開閉機構ｋとを具備してなり、前記展示空間ｄが閉塞される閉止姿勢で前記被支持部材ｉが前記展示床面部ｂの周縁特定部分ａの下方に隠蔽されるとともに、この閉止姿勢から前記展示空間ｄが外側方に開かれる開放姿勢に移る途上において前記被支持部材ｉが前記周縁特定部分ａを変形させつつ前記展示空間ｄ側に上昇し得るように構成したものであり、当該保持枠ｈが起立壁ｍａを持つ横断面Ｌ字形のフレームｍと、当該フレームｍの内面に溶接等により剛性を持って結合された被支持部材ｉを有していた。
【０００４】
すなわち、昇降部材ｊに接続されている被支持部材ｉと周壁ｅから荷重を受けるフレームｍとを結合するためにフレームｍに起立壁ｍａを有していることが必須であり、この起立壁ｍａを有するフレームｍ上に周壁ｅの下端部を配置させ、またフレームｍの起立壁ｍａに剛結した被支持部材ｉに昇降部材ｊの上端を接続させることで、この昇降部材ｊの昇降動作が被支持部材ｉからフレームｍの起立壁ｍａを通して周壁ｅに作用するように構成されていた。
【０００５】
しかし、このような起立壁ｍａと被支持部材ｉの結合構造にあっては、フレームｍが周壁ｅの荷重に耐え得るようにするため、起立壁ｍａを薄くすることに限界があった。
【０００６】
さらに、昇降部材ｊの昇降動作によってフレームｍの起立壁ｍａもこれに追従して昇降するため、起立壁ｍａの上方に展示床面部ｂを設けていれば、昇降動作時に起立壁ｍａに展示床面部ｂが引っかかり、展示床面部ｂがめくれ上がったり下方に巻き込まれたりして、展示床面部ｂを好適に保つことができなくなる。そのため、起立壁ｍａから一定距離をおいて展示床面部ｂの周縁を設定しなければならず、このような事情により展示床面部ｂにおける周縁の目地用隙間ｆを小さくすることにも限界があった。
【特許文献１】特開２００８‐２０６５４５号公報
【発明の開示】
【発明が解決しようとする課題】
【０００７】
本発明は、以上のような課題に着目してなされたものであって、主たる目的は、展示空間を選択的に開閉可能な展示ケースでありながら、展示空間を閉止した状態において、展示床面部周縁の目地用隙間を小さくし、展示物を好適に展示できるものを提供することにある。
【課題を解決するための手段】
【０００８】
すなわち、本発明の展示ケースは、周縁特定部分が厚み方向に変形可能な展示床面部を上面に配してなる基台と、この基台の展示床面部上に形成される展示空間を周壁により囲うようにして該基台上に配されその周壁の下端部内面で前記展示床面部の周縁を目地用隙間を介して包囲するケース体と、このケース体の下端に設けた保持枠の被支持部材に昇降部材の上端を接続してなりその昇降部材により前記ケース体を昇降させて前記展示空間を開閉させる開閉機構とを具備してなり、前記展示空間が閉塞される閉止姿勢で前記被支持部材が前記展示床面部の周縁特定部分の下方に隠蔽されるとともに、この閉止姿勢から前記展示空間が外側方に開かれる開放姿勢に移る途上において前記被支持部材が前記周縁特定部分を変形させつつ前記展示空間側に上昇し得るように構成したものであって、前記ケース体における被支持部材の上面に前記周壁の下端を受ける受面を設けていることを特徴とする。
【０００９】
このようなものであれば、周壁から作用する下向き荷重の大部分を被支持部材の受面により受けることができる。すなわち、周壁の下端を受ける部分及び昇降部材の上端に接続される部分が一部材で構成される。そのため、フレームと被支持部材を結合するためにフレームに設けられていた起立壁が不要となり、起立壁の存在によってその上方には展示床面部を設けることができないという事情を解消することができる。その結果、従来よりも展示床面部における周縁の目地用隙間を小さくすることができるので、展示空間を閉止した状態において、展示物をより好適に展示できる。また、従来のように周壁の下端を受けるフレームと昇降部材の上端に接続される被支持部材とを結合するための溶接が不要となり、溶接位置のずれに起因した寸法精度の低下を抑制することができる。
【００１０】
前記展示床面部に占める変形部分、すなわち周縁特定部分を最小限に抑えるのに好適なものとしては、前記展示床面部が平面視ほぼ多角形状をなすものであり、前記周縁特定部分がその多角形状のコーナー部であり、前記被支持部材を該コーナー部に設定しているものである。
【００１１】
前記保持枠が、前記被支持部材と、この被支持部材の下面に添設されたフレームとを具備してなり、当該フレームが立壁部を有しないものであれば、従来のような起立壁の存在によってその上方には展示床面部を設けることができないという事情を解消することができる。その結果、従来よりも展示床面部における周縁の目地用隙間を小さくすることができるので、展示空間を閉止した状態において、展示物をより好適に展示できるとともに、昇降部材により前記ケース体を昇降させたときに、このフレームによって複数の周縁特定部分の高さを一定に調節することができる。
【００１２】
前記昇降部材としては、前記ケース体に設けた被支持部材を支持した状態で鉛直方向に昇降可能なロッド状の昇降桿であり、当該昇降桿の鉛直方向に沿った昇降移動に伴って前記被覆部材を変形させるようにしているものが好適である。このようなものであれば、昇降桿の鉛直方向に沿った単純な直線移動によってケース体を昇降移動させて閉止姿勢と開放姿勢との間で姿勢変更することができるとともに、昇降部材の作動領域（軌道）が、展示空間の中心に向かって延伸する曲線的なものである場合と比較して、被覆部材の変形部分における反り角度を可及的に小さく抑えることができる。
【００１３】
前記周壁の好適なものとしては、前記周壁が透明なガラス製のものであり、当該周壁下端部の少なくとも内面に設けられたマスキングと、このマスキングを保護するためにマスキングを覆うように設けられたマスキング保護材とを具備しているものが挙げられる。
【００１４】
このようなものであれば、展示空間が閉塞される閉止姿勢において、展示ケースの外部から透明なガラスを通して視認される周縁特定部分の下方に隠蔽された保持枠等をマスキングにより視認されることのないようにすることができるため、展示ケースの外部からの美観を良好に保つことができる。また、周縁特定部分以外の展示床面部の端部、すなわち昇降部材による昇降動作により変化を受けない展示床面部が、周壁に設けられたマスキングと接触しマスキングが周壁から外れることを防止するためにマスキング保護材を用いることができる。
【００１５】
このようなマスキングとして塗装シールを用いるならば、ガラス製の周壁に簡単に貼り付けることができるとともに、厚みを比較的小さくすることができる。また、マスキング保護材としてアクリル板を用いるならば加工性に優れており比較的軽量であるため、ケース体とともに昇降するのに妨げとならない大きさに加工することができる。
【発明の効果】
【００１６】
以上説明したように本発明によれば、主たる目的は、展示空間を選択的に開閉可能な展示ケースでありながら、展示空間を閉止した状態において、展示床面部周縁の目地用隙間を小さくし、意匠的に極めて優れた展示床面を形成することができる。
【発明を実施するための最良の形態】
【００１７】
以下、本発明の一実施形態を、図面を参照して説明する。
【００１８】
本実施形態に係る展示ケース１は、図１ないし図８に示すように、例えば美術館等において単独で島型に配置して使用されるものであり、床上に配置される基台２と、展示品が収容される展示空間１Ｓを覆う位置に配置されるケース体３と、展示品の展示替えなどの際にケース体３を基台２に対して昇降させて展示空間１Ｓを開閉させる開閉機構４を備えたものである。
【００１９】
基台２は、図１に示すように、板状をなす４枚の化粧パネル２１と、展示床面部２２とを備えたものである。また、何れかの化粧パネル２１の内面側に開閉機構４や図示しない調節機構を操作するための操作部２１ａを配置して、その化粧パネル２１を開けると操作部２１ａが表出するようにしている。
【００２０】
展示床面部２２は、図２及び図３等に示すように、床材本体２２１と、床材本体２２１の少なくとも上向面を被覆する被覆部材２２２とを備えてなる。
【００２１】
床材本体２２１は、平面視略正方形の各コーナー部を切り欠いた形状をなす本体部２２１Ａと、本体部２２１Ａの上面側における周縁部に積層した本体補強部２２１Ｂとを備えたものである（図４参照）。本実施形態では、本体部２２１Ａとして合板を適用するとともに、本体補強部２２１Ｂとして平面視略ロ字形状のスチール板を適用している。なお、本体部２２１Ａの上向面と本体補強部２２１Ｂの上向面とが略同一となるように、本体部２２１Ａの上面側における周縁部に段部２２１Ａａを形成している（図４参照）。また、本体部２２１Ａと本体補強部２２１Ｂとの間にパッキング２２１Ｃを介在させている。本体部２２１Ａの各コーナー部付近には、裏面にマグネット２２１Ｄ（以下、このマグネットを「床材側マグネット２２１Ｄ」と称す）を設けており、この床材側マグネット２２１Ｄは、比較的強力な磁力を持つマグネットを使用している。
【００２２】
被覆部材２２２は、可撓性のある素材からなる板状の芯材２２２Ａと、芯材２２２Ａの少なくとも上向面全体を被覆するクロス材２２２Ｂとを備えたものである。
【００２３】
芯材２２２Ａは、平面視略正方形状をなし、床材本体２２１よりも大きな平面積を有するものである。本実施形態では、芯材２２２Ａとして、弾性変形し易く、復元性にも優れた素材、例えばポリカーボネートからなる板状の部材を適用している。
【００２４】
クロス材２２２Ｂは、芯材２２２Ａの上向面全体を被覆するとともに、周縁部を芯材２２２Ａの下向面側に巻き込んだ状態で固定したものである。本実施形態では、クロス材２２２Ｂの縁部を床材本体２２１の本体部２２１Ａと本体補強部２２１Ｂとの間に挟んだ状態で接着剤等を用いて固定している。
【００２５】
また、展示床面部２２には周縁特定部分たるコーナー部２２Ａにマグネット２２３（以下、このマグネットを「被覆部材側マグネット２２３」と称す）を設けている。本実施形態では、展示床面部２２の各コーナー部２２Ａにおける下向面に板状の被覆部材側マグネット２２３を接着剤等を用いて固定している。
【００２６】
なお、展示床面部２２は、床材本体２２１の下方に配された補強フレーム２２４に固定した図示しない載置台に略水平な姿勢で載置している。補強フレーム２２４の上面には、前記床材側マグネット２２１Ｄに対応する部分にマグネットキャッチ２２４Ａを図示しないビス等で取り付けている。しかして、これらマグネットキャッチ２２４Ａに前記床材側マグネット２２１Ｄを吸着させることによって、前記展示床面部２２を、前記基台２上に取り付け位置変更可能に固定している。
【００２７】
後述するケース体３を閉止姿勢（Ａ）にした場合に、このケース体３の内面と展示床面部２２の周縁との間には、目地用隙間２３が形成される。
【００２８】
ケース体３は、図４ないし図８に示すように、開閉機構４の作用によって、展示床面部２２にアクセス不能な閉止姿勢（Ａ）と、展示床面部２２にアクセス可能な開放姿勢（Ｂ）との間で姿勢変更なものである。このケース体３は、前記化粧パネル２１と略面一をなして周壁を形成する４枚の側面ガラス３１と、側面ガラス３１の上端部間に設けた単一の上面ガラス３２とを備えたものである。また、各側面ガラス３１の下端部における内面側には平面視略ロ字形状をなす保持枠３３を取り付けてガラスを主体とするケース体３の補強を図っている。この保持枠３３は、この保持枠３３の四隅に設けられ、後述する開閉機構４の昇降桿４１に支持される被支持部材３３１と、この被支持部材３３１の下面にビス止めされ、各側面ガラス３１の下端部に沿って平面的な枠状に設けられるフレーム３３２とを具備する。被支持部材３３１は、図５に示すような立体形状をなし、側面ガラス３１における四隅の底面を緩衝部材を介して支持する受面３３１Ａを有するとともに、後述する開閉機構４の昇降桿４１と連結するためのボルト挿入孔３３１Ｂを備えるものである。これら被支持部材３３１は、ケース体３を閉止姿勢（Ａ）にした場合に、被覆部材２２２の下向面側に位置付けられる（図４参照）。また、図６に示すように、側面ガラス３１と被支持部材３３１の受面３３１Ａとの接続部分以外には、側面ガラス３１を介して内部の被支持部材３３１等が視認されることを防ぐために側面ガラス３１下端部の内面及び底面に塗装シール３７（本発明の「マスキング」に相当）を設け、さらにこの塗装シール３７を保護するために側面ガラス３１の内面にアクリル板３８（本発明の「マスキング保護材」に相当）を設けている。さらに、本実施形態では、被支持部材３３１の外側面及び側面ガラス３１の内面によって受面３３１Ａ上方に形成される空間に、シール部材として機能する弾性体３６を設け、展示空間１Ｓが密閉状態となるようにしている。
【００２９】
一方、開閉機構４は、図４ないし図７に示すように、前記被支持体３４を支持した状態で昇降可能な複数の昇降桿４１（本発明の「昇降部材」に相当）と、これら複数の昇降桿４１を昇降可能に駆動する図示しない駆動部とを備えたものである。
【００３０】
各昇降桿４１は、昇降桿本体４１１と、昇降桿本体４１１と被支持部材３３１とを連結するための連結部４１２とを備えている。
【００３１】
昇降桿本体４１１は、概略円柱状をなし、上端部に下方に向かって延伸するネジ孔４１１ａを形成したものである。
【００３２】
連結部４１２は、被支持部材３３１に形成したボルト挿入孔３３１Ｂから挿入し且つ昇降桿本体４１１のネジ孔４１１ａに螺着したボルトからなるものである。
【００３３】
また、開閉機構４は、昇降桿４１の昇降移動をガイドする昇降桿ガイド４２を、各昇降桿４１に関連付けて設けている。昇降桿ガイド４２は、昇降桿本体４１１が挿入可能な昇降桿本体挿入孔４２ａを有するものであり、本実施形態では、昇降桿ガイド４２の上向面側に配したカバー部材４３をビス（図示せず）を用いて前記基台２の補強フレーム２２４に固定することにより、昇降桿ガイド４２を移動不能に固定している。
【００３４】
また、各昇降桿４１の上端部に、前記被覆部材側マグネット２２３と磁着可能な昇降桿側マグネット４５を設けている。本実施形態では、連結部４１２の上向面に板状の昇降桿側マグネット４５を接着剤等を用いて固定している。
【００３５】
このような構成を有する各昇降桿４１は、駆動部によって同期して略直線状に昇降移動する。そして、これら各昇降桿４１を昇降移動させるにより、ケース体３が閉止姿勢（Ａ）と開放姿勢（Ｂ）との間で昇降移動する。各昇降桿４１は略鉛直方向に沿って昇降移動するものであり、図４に一点鎖線で示す領域が、昇降桿４１の作動領域４１Ｓとなる。本実施形態では、昇降桿４１の作動領域４１Ｓを、展示床面部２２の各コーナー部２２Ａ、より具体的には被覆部材２２２の各コーナー部に設定している。
【００３６】
次に、展示ケース１の使用方法及び作用について説明する。
【００３７】
先ず、ケース体３が閉止姿勢（Ａ）にある場合、図４に示すように、展示床面部２２の床材本体２２１が、各コーナー部において、その周縁部とケース体３の側面ガラス３１との間に、昇降桿４１との干渉を回避する干渉回避空間２２１Ｓを形成し、この干渉回避空間２２１Ｓに昇降桿４１を収容することにより、昇降桿４１全体を展示空間１Ｓ外に位置付けている。そして、被覆部材２２２によってこの干渉回避空間２２１Ｓを上方から被覆し、展示床面部２２の上向面（被覆部材２２２の上向面）、すなわち展示床面部２２は、周縁に目地用隙間２３を有する略水平な面となり、ケース体３の各側面ガラス３１の内向面によって包囲される平面を数ｍｍ程度の目地用隙間２３を除くほぼ全域を被覆する。この状態において、展示床面部２２のコーナー部２２Ａと昇降桿４１とが、被覆部材側マグネット２２３と昇降桿側マグネット４５との磁着により相互に引き付け合い、磁着位置の微調整を行っている。
【００３８】
そして、展示品を入れ替えるためにケース体３を閉止姿勢（Ａ）から開放姿勢（Ｂ）に姿勢変更する作業は、所定の化粧パネル２１を開けて操作部２１ａを表出させ、例えば操作部２１ａに設けた「ＵＰ」スイッチ等を押すことによって行う。この操作により、開閉機構４の駆動部が駆動し、図７及び図８に示すように各昇降桿４１がケース体３の被支持部材３３１を支持した状態で同期して上昇し、ケース体３も上昇する。各昇降桿４１は、作動領域４１Ｓ内で上昇しながら展示空間１Ｓ内に露出する。そして、これら各昇降桿４１の上昇に伴って、昇降桿４１の作動領域４１Ｓに位置する展示床面部２２のコーナー部２２Ａが昇降桿４１の上端部に直接押し上げられて弾性変形し、昇降桿４１がある程度上昇した時点で被覆部材側マグネット２２３と昇降桿側マグネット４５との磁着状態が解除される。さらに昇降桿４１を上昇させることによって、展示床面部２２とケース体３の下端部との間が広く開放され、そこを通じて展示品の入れ替えを行うことができる。また、昇降桿４１は展示床面部２２のコーナー部２２Ａから上方に突出することになり、隣接する昇降桿４１同士の間は広く開放され、四方から展示床面部２２にアクセスすることができる。この際、床材側マグネット２２１Ｄとマグネットキャッチ２２４Ａとの磁着状態は解除されることなく相互に引き付け合っている状態が保持されるため、周縁特定部分２２Ａ以外は、昇降桿４１の作動によっても変形することなく水平状態が保持される。なお、展示床面部２２は、基台２の補強フレーム２２４にビス等を用いて固定してもよいが、床材側マグネット２２１Ｄとマグネットキャッチ２２４Ａを用いて固定しておけば、ビスの取り外し作業を行うことなしに、展示床面部２２の基台２に対する取り付け位置を微調整することが可能になる。
【００３９】
一方、展示品の入替終了後にケース体３を開放姿勢（Ｂ）から閉止姿勢（Ａ）に姿勢変更する操作は、操作部２１ａに設けた例えば「ＤＯＷＮ」スイッチ等を押すことによって行う。この操作により、開閉機構４の駆動部が駆動し、各昇降桿４１がケース体３の被保持部材３３１を支持した状態で同期して下降することによってケース体３も下降する。これら各昇降桿４１の下降に伴い、弾性変形していた展示床面部２２のコーナー部２２Ａが復元し、作動領域４１Ｓを含む周縁特定部分２２Ａが被覆部材２２２によって上方から被覆され、展示床面部２２の上向面（被覆部材２２２の上向面）、すなわち展示床面は、ケース体３の各側面ガラス３１の内面との境界にできる目地用隙間２３を小さくした水平面となる。
【００４０】
このように、本実施形態に係る展示ケース１は、コーナー部２２Ａが厚み方向に変形可能な展示床面部２２を上面に配してなる基台２と、この基台２の展示床面部２２上に形成される展示空間１Ｓを４枚の側面ガラス３１により囲うようにして該基台２上に配されその側面ガラス３１の下端部内面で前記展示床面部２２の周縁を目地用隙間２３を介して包囲するケース体３と、このケース体３の下端に設けた保持枠３３の被支持部材３３１に昇降桿４１の上端を接続してなりその昇降桿４１により前記ケース体３を昇降させて前記展示空間１Ｓを開閉させる開閉機構４とを具備してなり、前記展示空間１Ｓが閉塞される閉止姿勢（Ａ）で前記被支持部材３３１が前記展示床面部２２のコーナー部２２Ａの下方に隠蔽されるとともに、この閉止姿勢（Ａ）から前記展示空間１Ｓが外側方に開かれる開放姿勢（Ｂ）に移る途上において前記被支持部材３３１が前記コーナー部２２Ａを変形させつつ前記展示空間側１Ｓに上昇し得るように構成したものであって、前記ケース体３における被支持部材３３１の上面に前記側面ガラス３１の下端を受ける受面３３１Ａを設けている。そのため、従来よりも展示床面部２２周縁の目地用隙間２３を小さくすることができ、ケース体３の閉止姿勢（Ａ）において展示物をより好適に展示できる。また、このように側面ガラス３１の下端に接続される部分及び昇降桿４１の上端に接続される部分が被支持部材３３１として一体形成されるため、接続部の寸法精度を無理なく向上させることができる。
【００４１】
また、展示床面部２２が平面視正方形で、その四隅にコーナー部２２Ａ及び被支持部材３３１を配置しているので、展示床面部２２全体に占める変形部分、すなわちコーナー部２２Ａを最小限に抑えることができるとともに、ケース体３を開放姿勢（Ｂ）にした場合に、ケース体３の下端部と展示床面部２２との間に形成される展示床面部２２にアクセス可能な間口が広く形成され、展示品の入替作業をよりスムーズに行うことができる。
【００４２】
さらに、保持枠３３が、前記被支持部材３３１と、この被支持部材３３１の下面に添設されたフレーム３３２とを具備してなり、当該フレーム３３２が立壁部を有しないものであれば、従来のような起立壁の存在によってその上方には展示床面部２２を設けることができないという事情を解消し、従って、従来よりも展示床面部２２における周縁の目地用隙間２３を小さくすることができるので、ケース体３の閉止姿勢（Ａ）において展示物をより好適に展示できる。
【００４３】
また、被覆部材２２２の変形を昇降桿４１の昇降動作に従動させることにより、ケース体３が閉止姿勢（Ａ）にある場合に、被覆部材２２２が昇降桿４１の昇降動作とは無関係に不意に変形することを回避することができる。
【００４４】
本実施形態においては、ケース体３の周壁として透明な側面ガラス３１を用いており、その下端部内面及び底面に塗装シール３７を貼り付けているため、閉止姿勢（Ａ）において、展示ケースの外部から透明な側面ガラス３１を通して視認される周縁特定部分２２Ａの下方に隠蔽された保持枠３３等が視認され得ない。また、ガラス製の周壁に簡単に貼り付けることができるとともに、厚みを比較的小さくすることができる。
【００４５】
さらに、塗装シール３７に重ねてアクリル板３８を貼り付けているため、周縁特定部分２２Ａの昇降動作時にそれ以外の展示床面部２２の縁部と接触しても塗装シール３７に擦り傷がついたり、側面ガラス３１から剥がれることを防止できる。また、このアクリル板３８は、側壁ガラス３１の自重に起因した大きな荷重を受けるための部材ではないため、図６に示すようにケース体３とともに昇降するのに妨げとならない薄さに設定することができる。したがって、目地用隙間２３を小さくする上での障害にはならない。
【００４６】
なお、本発明は、以上に詳述した実施形態に限られるものではない。
【００４７】
例えば、前記実施形態では、開閉機構の昇降部材として、昇降桿を例示したが、これに限らず、昇降部材として、パンタグラフ方式で作動可能なリンク機構や、ガススプリングを適用しても構わない。なお、被覆部材２２２が、ケース体３を閉止姿勢（Ａ）から開放姿勢（Ｂ）へ姿勢変更する際に昇降桿４１の上端部に直接押圧されることによって変形するものであれば、被覆部材２２２を変形させるための専用の機構を設ける必要がなく、部品点数の削減、構造の簡略化を図ることができる。
【００４８】
また、昇降部材の作動領域を、被覆部材のコーナー部以外の部位、例えば被覆部材の辺部分のおける所定箇所又は辺部分全体に設定してもよい。この場合、被覆部材のうち、作動領域に相当する部分が変形することになる。
【００４９】
また、開閉機構は、ケース体を昇降部材によって支持した状態で持ち上げることにより、ケース体を展示床面部にアクセス不能な閉止姿勢から展示床面部にアクセス可能な開放姿勢へ姿勢変更させるものであればよく、前記実施形態で示すようなケース体全体を基台に対して平行に持ち上げる態様の他、ケース体の一部を基台に対して持ち上げることによりケース体を閉止姿勢から開放姿勢へ姿勢変更させるものであってもよい。また、開閉機構の昇降部材は、電動で作動する態様の他、手動で作動するものであっても勿論構わない。なお、本実施形態に示したように、展示床面部２２を、床材本体２２１と、ケース体３が開放姿勢（Ｂ）にある場合に、展示空間１Ｓ内に出現する昇降桿４１の作動領域４１Ｓから退避するように変形する被覆部材２２２とを主体として構成し、ケース体３の開放姿勢（Ｂ）から閉止姿勢（Ａ）に姿勢変更に伴って基台２の内部空間に没入する昇降体４１の動作に従動して被覆部材２２２が復元し、この被覆部材２２２によって昇降桿４１の作動領域４１Ｓを上方から被覆するものであれば、展示床面部２２の上向面である被覆部材２２２の上向面、すなわち展示床面部の周縁の目地用隙間を小さくすることができ、展示床面に展示する物品の周囲近傍に展示の妨げとなるものが現れるという事態を防止することができる。しかも、ケース体３を閉止姿勢（Ａ）から開放姿勢（Ｂ）に姿勢変更する場合には、被覆部材２２２が変形して昇降桿４１の作動領域４１Ｓから退避するため、昇降桿４１の昇降移動に何ら支障を来すことなく、ケース体３の閉止姿勢（Ａ）と開放姿勢（Ｂ）との切替を好適に行うことができる。
【００５０】
また、被覆部材が、弾性変形するものではなく、看者が視認できない程度の境界を介して相対的に回動可能なヒンジ機構を利用して変形するものであっても構わない。さらには、被覆部材が、ケース体を閉止姿勢から開放姿勢へ姿勢変更する際に昇降部材の上端部に間接的に押圧されることによって変形するものであってもよく、或いは専用の機構によって変形するものであってもよい。
【００５１】
また、被覆部材は、その平面視形状が四角形以外の多角形状、或いは円形や楕円形等、どのような形状のものであっても構わない。
【００５２】
また、被覆部材側マグネットを、芯材とクロス材との間に介在させた状態で固定してもよい。さらには、この被覆部材側マグネットと昇降部材側マグネットとを他の部材を介して間接的に磁着させるようにしてもよい。なお、実施形態で述べたように、被覆部材２２２のうち、ケース体３を閉止姿勢（Ａ）にした際に昇降桿４１の作動領域４１Ｓを上方から被覆する部位に被覆部材側マグネット２２３を設ける一方、昇降桿４１に、被覆部材側マグネット２２３と直接磁着し得る昇降桿側マグネット４５を設け、ケース体３を閉止姿勢（Ａ）にした際に、被覆部材側マグネット２２３と昇降桿側マグネット４５とを磁着させるとともに、ケース体３の閉止姿勢（Ａ）から開放姿勢（Ｂ）への姿勢変更に伴って磁着状態を解除可能にしていれば、ケース体が閉止姿勢（Ａ）にある場合、被覆部材側マグネット２２３と昇降桿側マグネット４５との磁着により、被覆部材２２２をフラットな状態に維持することができるのみならず、ケース体３の姿勢変更を繰り返すうちに被覆部材２２２に変形ぐせが付いたとしても、マグネット同士（被覆部材側マグネット２２３、昇降桿側マグネット４５）の磁着により、被覆部材２２２をフラットな状態に維持することができる。
【００５３】
また、被覆部材を芯材のみ、又はクロス材のみから構成してもよい。なお、実施形態に述べたような可撓性のある素材からなる板状の芯材２２２Ａと、芯材２２２Ａの少なくとも上向面を被覆するクロス材２２２Ｂとを備えたものであれば、芯材２２２Ａを曲線的に撓ませる曲がるため、クロス材２２２Ｂに折り目が付き難く、展示床面の意匠性向上に大いに資する。
【００５４】
前記実施形態では、周壁として側面ガラスを用いて、被支持部材として金属を用いていたため、周壁の底面を被支持部材の受面との間に緩衝部材を介在させたが、周壁や被支持部材の材質によっては、周壁の底面を前記受面で直接受けるようにしてもよい。また、緩衝部材の材質は適切なものを選択すればよい。
【００５５】
その他、各部の具体的構成についても上記実施形態に限られるものではなく、本発明の趣旨を逸脱しない範囲で種々変形が可能である。
【図面の簡単な説明】
【００５６】
【図１】本発明の一実施形態に係る展示ケースであり、ケース体を閉止姿勢にした状態の全体斜視図。
【図２】同実施形態に係る展示ケースの平面図を一部省略して示す図。
【図３】図２におけるＰ領域の拡大図。
【図４】図３のＸ−Ｘ線端面を模式的に示す図。
【図５】同実施形態に係る展示ケースのケース体及び昇降桿を示した部分拡大斜視図。
【図６】図３のＹ−Ｙ線端面を模式的に示す図。
【図７】同実施形態に係る展示ケースであり、ケース体を開放姿勢にした状態を図４に対応して示す図。
【図８】作用説明図。
【図９】従来の展示ケースを示す図。
【符号の説明】
【００５７】
１…展示ケース
１Ｓ…展示空間
２…基台
２２…展示床面部
２２Ａ…コーナー部
２３…目地用隙間
３…ケース体
（Ａ）…閉止姿勢
（Ｂ）…開放姿勢
３３…保持枠
３３１…被支持部材
３３１Ａ…受面
３３２…フレーム
３７…塗装シール
３８…アクリル板
４…開閉機構
４１…昇降桿
【図１】
2010094457.tif 000003
【図２】
2010094457.tif 000004
【図３】
2010094457.tif 000005
【図４】
2010094457.tif 000006
【図５】
2010094457.tif 000007
【図６】
2010094457.tif 000008
【図７】
2010094457.tif 000009
【図８】
2010094457.tif 000010
【図９】
2010094457.tif 000011